(57)【要約】【課題】背もたれ部に配備する背部マッサージ機構を、使用者の肩位置へ届くほど高い位置へ設けることができない場合でも、この背部マッサージ機構によって使用者の肩をマッサージすることができるようにする。【解決手段】本発明の椅子型マッサージ機１は、座部２と、この座部２の後部に設けられて且つ背部マッサージ機構４が配備された背もたれ部３とを有しており、座部２の後端部が背もたれ部３の下部に近接又は当接する「後部位置」と、「後部位置」の前方側に設定された「前部位置」との間で、座部２が前後動自在に設けられている。【選択図】図２
2011250934.tif 000002
【特許請求の範囲】
【請求項１】
座部と、この座部の後部に設けられて且つ背部マッサージ機構が配備された背もたれ部とを有しており、
前記座部の後端部が背もたれ部の下部に近接又は当接する「後部位置」と、「後部位置」の前方側に設定された「前部位置」との間で、前記座部が前後動自在に設けられている
ことを特徴とする椅子型マッサージ機。
【請求項２】
「後部位置」にある座部に着座する使用者が背もたれ部にもたれ掛かった際に、前記背部マッサージ機構は使用者の肩位置より低い高さに位置すると共に、「前部位置」にある座部に着座する使用者が背もたれ部にもたれ掛かった際に、前記背部マッサージ機構は使用者の肩位置に対応する高さに位置するように、前記背部マッサージ機構が、背もたれ部内に配設されていることを特徴とする請求項１に記載の椅子型マッサージ機。
【請求項３】
前記座部は、スライド機構によって支持されており、
前記スライド機構は、座部の下面に固定されたスライド基枠と、該スライド基枠を前後動自在に支持する固定基枠と、前記スライド基枠の前後動の範囲を制限し且つ座部を「前部位置」又は「後部位置」で保持可能とする規制機構と、を有することを特徴とする請求項１又は２に記載の椅子型マッサージ機。
【請求項４】
前記座部は、着座した使用者が下肢を前方斜め下方へ伸ばして前方の床面へ着床可能な姿勢を保持可能な座面高さに設定されていることを特徴とする請求項１〜３のいずれかに記載の椅子型マッサージ機。
【発明の詳細な説明】
【技術分野】
【０００１】
本発明は、座椅子やソファ等の背もたれ部が低い椅子を対象として、好適に適用できる椅子型マッサージ機に関する。
【背景技術】
【０００２】
座部が低い位置（床面の近く）にあるような「座椅子」の形を備えると共に、使用者の背部等をマッサージ可能とする椅子型マッサージ機としては、例えば、特許文献１や特許文献２などに開示された装置が既に開発されている。
【先行技術文献】
【特許文献】
【０００３】
【特許文献１】特開平１１−３３２９２９号公報
【特許文献２】特開２００１−２９４２１号公報
【発明の概要】
【発明が解決しようとする課題】
【０００４】
ところが、特許文献１、特許文献２に開示された椅子型マッサージ機は、座椅子タイプとは言いながら、背もたれ部が嵩高であり、見栄えが悪いばかりか座椅子としての安定性が低下する虞があるものである。
本発明は、上記事情に鑑みてなされたものであって、背もたれ部の高さを低くすることで、見栄えが良い椅子型マッサージ機であって、さらに、背もたれ部の高さが低いが故に、背もたれ部内の背部マッサージ機構を使用者の肩位置へ届くほど高い位置へ設けることができない場合でも、この背部マッサージ機構によって使用者の肩を効果的にマッサージ可能とする機構を備えた椅子型マッサージ機を提供することを目的とする。
【課題を解決するための手段】
【０００５】
前記目的を達成するため、本発明においては以下の技術的手段を講じた。
本発明に係る椅子型マッサージ機は、座部と、この座部の後部に設けられて且つ背部マッサージ機構が配備された背もたれ部とを有しており、前記座部の後端部が背もたれ部の下部に近接又は当接する「後部位置」と、「後部位置」の前方側に設定された「前部位置」との間で、前記座部が前後動自在に設けられていることを特徴とする。
【０００６】
好ましくは、「後部位置」にある座部に着座する使用者が背もたれ部にもたれ掛かった際に、前記背部マッサージ機構は使用者の肩位置より低い高さに位置すると共に、「前部位置」にある座部に着座する使用者が背もたれ部にもたれ掛かった際に、前記背部マッサージ機構は使用者の肩位置に対応する高さに位置するように、前記背部マッサージ機構が、背もたれ部内に配設されているとよい。
【０００７】
以上の構成であると、座部を前方移動させることで、座部上に着座した使用者の臀部を前方へずらし、これによって使用者の肩位置を低くさせることができる。そのため、背もたれ部に配備する背部マッサージ機構を、使用者の肩位置へ届くほど高い位置へ設けることができない場合でも、この背部マッサージ機構によって使用者の肩をマッサージすることができるようになる。
【０００８】
前記座部は、スライド機構によって支持されており、前記スライド機構は、座部の下面に固定されたスライド基枠と、該スライド基枠を前後動自在に支持する固定基枠と、前記スライド基枠の前後動の範囲を制限し且つ座部を「前部位置」又は「後部位置」で保持可能とする規制機構と、を有する構成を採用することは、非常に好ましい。
前記座部は、着座した使用者が下肢を前方斜め下方へ伸ばして前方の床面へ着床可能な姿勢を保持可能な座面高さに設定されているとよい。
【発明の効果】
【０００９】
本発明に係る椅子型マッサージ機では、背もたれ部に配備する背部マッサージ機構を、使用者の肩位置へ届くほど高い位置へ設けることができない場合でも、この背部マッサージ機構によって使用者の肩をマッサージすることができる。
【図面の簡単な説明】
【００１０】
【図１】本発明に係る椅子型マッサージ機の実施形態を示した斜視図である（座部は前部位置にある）。
【図２】本発明に係る椅子型マッサージ機の実施形態を示した側面図である（座部は前部位置にある）。
【図３】本発明に係る椅子型マッサージ機の実施形態を示した側面図である（座部は後部位置にある）。
【図４】座部が前部位置とされた際のスライド機構を示した平面図である。
【図５】座部が後部位置とされた際のスライド機構を示した平面図である。
【図６】図５のＡ−Ａ線断面図である。
【発明を実施するための形態】
【００１１】
以下、本発明の実施形態を、図を基に説明する。
図１〜図６は、本発明に係る椅子型マッサージ機１の実施形態を示している。
図１〜図３に示すように、この椅子型マッサージ機１は、使用者Ｍの臀部を下方から支持する座部２と、この座部２の後部に設けられて座部２に着座した使用者Ｍの背中を支持する背もたれ部３とを有しており、背もたれ部３の内部に、使用者Ｍの背中をマッサージするための背部マッサージ機構４が設けられたものである。
【００１２】
なお、以下の説明では、図２や図３の紙面貫通方向を左右方向又は幅方向と呼び、図２や図３の右左方向を前後方向と呼ぶ。また図２や図３の上下方向を上下方向と呼ぶ。これらの各方向は、座部２に着座した使用者Ｍからこの椅子型マッサージ機１を見た方向に一致する。
本発明に係る椅子型マッサージ機１において、座部２は、この椅子型マッサージ機１を床面へ設置するための台座部や脚部などの支持体６に対して、前後方向のスライド動作を可能にさせるスライド機構７を介して設けられている。そのため、この座部２は、その後端部を背もたれ部３の下部に近接又は当接させた状態を後部位置（図３の状態）として、この後部位置よりも前方側に設定された前部位置（図２の状態）との間で前後動自在となっている。
【００１３】
なお、この椅子型マッサージ機１は、いわゆる「座椅子」として構成されたものであって、座部２は、この上に着座した使用者Ｍが脚を前方斜め下方へ伸ばして、前方の床面へ着床可能にさせるような座面高さに設けられている。但し、この座面高さは具体的な数値範囲によって限定されるものではない。また、椅子型マッサージ機１において座部２の左右両側には、座部２に着座した使用者Ｍの肘を支持する肘掛け部８が設けられたものとしてある。この肘掛け部８についても省略可能である。
【００１４】
以下、各部について詳説する。
まず、座部２及びスライド機構７について説明する。
座部２は、使用者Ｍの支持状態で変形などを生じない程度に高剛性に形成された基部材に対し、その上部にクッション材などを設けて更に全体をカバー材で覆った構造とされている。クッション材やカバー材についてもその素材は限定されず、クッション材についてはウレタンやスポンジ等製とすればよいし、カバー材についてはレザーシートや樹脂シート、布等製とすればよい。
【００１５】
図４〜図６に示すように、スライド機構７は、スライド基枠１０と、このスライド基枠１０を前後動自在に支持する固定基枠１１とを有している。スライド基枠１０及び固定基枠１１は、いずれも板状に形成されたものとしてあり、スライド基枠１０が上で、固定基枠１１が下になる配置で、互いに重ねられるようになっている。
スライド基枠１０の上面に座部２が取り付けられ、固定基枠１１が支持体６上に固定される。従って、椅子型マッサージ機１を床面に設置した状態において、固定基枠１１が不動の状態に保持され、この固定基枠１１に対してスライド基枠１０と共に座部２が前後動するようになっている。
【００１６】
固定基枠１１の左右両側には、互いに対向する向きで断面コ字状のガイドレール１２，１２が形成されており、これら両ガイドレール１２，１２におけるコ字状の溝内で、スライド基枠１０がその左右両側方から摺動自在な状況下で挟持されるようになっている。
これにより、スライド基枠１０は上下方向や左右方向でガタツキを生じることなく、円滑に前後移動するようになっている。なお、ガイドレール１２，１２は、スライド基枠１０に対して設けるようにし、固定基枠１１の左右両側を挟持させる構造としてもよい。
【００１７】
スライド基枠１０と固定基枠１１との間には、ストローク制限部１５と、スライド基枠１０の移動方向に沿った向きのバネ１６とが設けられ、また固定基枠１１には、規制機構２０が設けられている。
ストローク制限部１５は、固定基枠１１に対するスライド基枠１０の前後動ストロークを制限するためのものである。このストローク制限部１５は、固定基枠１１の左右方向中央部に対し、長手方向を前後方向に向けて設けられたスライド溝２１と、スライド基枠１０の左右方向中央部に対し、下向きに突出する状態に設けられて固定基枠１１のスライド溝２１に突き刺し状にされたスライドピン２２とを有している。
【００１８】
スライドピン２２には、スライド溝２１を突き抜けた部分に抜止具２３が設けられており、この抜止具２３により、スライド溝２１に対するスライドピン２２の脱出が防止されている。
このストローク制限部１５において、スライド溝２１内でスライドピン２２が前後動を許容される範囲が、固定基枠１１に対するスライド基枠１０の前後動ストロークであり、ひいては、座部２の前後動範囲になる。すなわち、スライド溝２１の前後方向長さによって座部２の前後動範囲（座部２を後部で停止させる「後部位置」と前部で停止させる「前部位置」）を設定することができるものである。
【００１９】
バネ１６は、スライド基枠１０を前方へ移動させたときに、このスライド基枠１０を後方、即ち、固定基枠１１の真上に重なる状態に復帰させるように後方へ引き戻すためのものである。このバネ１６は、左右方向に所定間隔をおいて２本、設けられている。各バネ１６は、スライド基枠１０の前部寄りに設けられた前部バネ掛け２６と、固定基枠１１の後端部に設けられた後部バネ掛け２７との間に架け渡されている。固定基枠１１上にスライド基枠１０が重なった配置となっているとき（図５の状態）で、バネ１６に引張力が作用している状態としておき、スライド基枠１０が前方へ移動すればするほど、バネ１６が引っ張られるように（引き戻し作用が強まるように）しておくのが好ましい。
【００２０】
規制機構２０は、固定基枠１１に対してスライド基枠１０がスライドするとき、スライド基枠１０の前後動範囲を制限して、前後の各位置で停止保持させるためのである。更に言えば、この規制機構２０は、座部２が前後動する範囲において、その前部位置で座部２を停止保持させたり、後部位置で停止保持させたりする。
この規制機構２０は、固定基枠１１における左右方向の一方側（図４〜図６の各左側）とした）に設けられた揺動レバー３０と、この揺動レバー３０によって上下揺動するフック部３１とを有したものとされている。
【００２１】
揺動レバー３０とフック部３１とは、固定基枠１１の側面（ガイドレール１２の起立壁外面）に設けられたヒンジ部３２に回動自在に保持された揺動軸３３に対して、それぞれ一体又は別部材の結合構造として一体回動自在に設けられている。揺動レバー３０は、揺動軸３３から左右方向の外方（図４〜図６の各左側）へ突出するように設けられ、フック部３１は、揺動軸３３から左右方向の内方（図４〜図６の各右側）へ突出するように設けられている。
【００２２】
揺動レバー３０は、その突出端部がほぼ水平となる状態を待機位置としてあり、フック部３１についても、その突出端部がほぼ水平となる状態を待機位置としてある。従って、揺動レバー３０をその突出端部が上方へ傾斜するように揺動させると、フック部３１は、その突出端部が下方へ傾斜するように揺動し、その後、揺動レバー３０を前記と逆方向へ戻すように（下向きに）揺動させると、フック部３１は、その突出端部がほぼ水平となる元の状態に復帰するように（上向きに）揺動する。
【００２３】
なお、揺動軸３３には、径方向に突出する２本のバネ脚３５ａ，３５ｂを有したコイルバネ３５が挿通されている。このコイルバネ３５は、一方のバネ脚３５ａを揺動レバー３０に係合させると共に、他方のバネ脚３５ｂを固定基枠１１のガイドレール１２に係合させて、両バネ脚３５ａ，３５ｂ間に生じる周方向のバネ力で、揺動レバー３０及びフック
部３１がそれらの待機位置を保持する向きの付勢力を発生させるようになっている。
【００２４】
揺動レバー３０の突出端部には、図１に示すように、座部２の側部から肘掛け部８の内面に沿って上方へ引き出されるようにした引き紐（ベルトによる輪部材）３６が連結されている。また、フック部３１の突出端部は、前記した待機位置となっているとき（ほぼ水平になっているとき）に、スライド基枠１０へ向けて突出するようになっている。
なお、図６に示すように、固定基枠１１には、フック部３１が上下揺動するのを邪魔しないようにするために、上下方向に貫通する切欠４０が形成されている。またスライド基枠１０には、このスライド基枠１０が固定基枠１１の上方に重なった配置とされているときにフック部３１と係合する第１切欠４１（図５参照）と、スライド基枠１０が前方へ移動したときにフック部３１と係合する第２切欠４２（図４参照）とが設けられている。本第１実施形態では、スライド基枠１０に対し、第１切欠４１と第２切欠４２との間に、これらの相互間隔を等分に分割する複数箇所（図例では３箇所とした）に、更に中間切欠４３を設けている。
【００２５】
従って、フック部３１が、これら第１切欠４１、第２切欠４２、或いは中間切欠４３のいずれかと係合した状態として、スライド基枠１０は、固定基枠１１に対してスライド不能状態に保持されることになる。
このように、この規制機構２０では、座部２に着座した使用者Ｍが肘掛け部８の内面に沿って突出した引き紐３６（図１参照）を引き上げることで、揺動レバー３０が上方揺動し（図６中の二点鎖線参照）、これに伴ってフック部３１が下向きに揺動することになる。そのため、このフック部３１がスライド基枠１０の第１切欠４１、第２切欠４２、或いは中間切欠４３のいずれとも係合しない状態となる。従って、スライド基枠１０は、固定基枠１１に対してスライド自在な状態となる。すなわち、スライド基枠１０と共に、使用者Ｍの着座している座部２自体が、前後動自在な状態となる。
【００２６】
使用者Ｍが引き紐３６の引き上げを解除すれば、揺動レバー３０及びフック部３１はコイルバネ３５のバネ力により、それぞれ待機位置（ほぼ水平状態）に戻るので、フック部３１は第１切欠４１、第２切欠４２、或いは中間切欠４３のいずれかと係合するようになる。従って、これによりスライド基枠１０は、第１切欠４１に対応した後部位置、第２切欠４２に対応した前部位置、或いは中間切欠４３に対応した中間位置のうち、いずれかにおいて、固定基枠１１に対するスライド不能状態に保持されることになる。すなわち、スライド基枠１０と共に、使用者Ｍの着座している座部２自体が、前後動しない状態として固定される。
【００２７】
次に、背もたれ部３及び背部マッサージ機構４について説明する。
背もたれ部３は、その下端部が、支持体６（椅子型マッサージ機１を床面へ設置するための台座部や脚部など）に対し、左右方向に軸心を向けた枢軸部によって枢支されている。すなわち、背もたれ部３はその上端部を前後方向へ揺動自在になっている。また、この枢軸部まわりにおいて、背もたれ部３のリクライニング角度（傾斜角度）を適宜設定し、保持させるための角度設定機構が配備されていてもよい。
【００２８】
なお、本実施形態の椅子型マッサージ機１は、前記したように座椅子を構成したものであり、それ故に背もたれ部３は、あまり高背なものとはされていない。
背部マッサージ機構４は、背もたれ部３にもたれ掛かった使用者Ｍの背部〜腰部を揉み、叩き、又はバイブレーションなどによってマッサージするためのものである。本実施形態において、背部マッサージ機構４は、左右一対のマッサージ部材５０と、これら左右のマッサージ部材５０に適宜マッサージ動作を行わせる駆動部５１とを有したものとしてある。なお、駆動部５１を背もたれ部３内で上下方向に移動可能にする上下移動機構をも装備させるようにしてもよい。
【００２９】
マッサージ部材５０は、上方及び下方の斜め前方へ先端部を突出させたブーメラン形の支持アーム５３と、この支持アーム５３の上下両端部に設けられた施療子５４とを有している。各施療子５４は、例えば樹脂や硬質ゴムなどによって肉厚な円盤型や球形などに形成されている。
駆動部５１は、左右のマッサージ部材５０に対して相互近接離反の動作や、交互の叩き
動作、或いは振動を行わせたりする。これにより、座部２に座って背もたれ部３に背中を押しつけた使用者Ｍは、背中から腰部にわたる範囲で施療子５４を介して快適なマッサージを受けられるものとなっている。
【００３０】
なお、この背部マッサージ機構４は、背もたれ部３が高背ではないことに起因して、図３に示すように、座部２に着座する使用者Ｍが背もたれ部３にもたれ掛かっているときに、この使用者Ｍの肩位置（図３中に示すＨ寸法を参照）より低い高さを上限として、施療子５４が設けられていることになる。すなわち、使用者Ｍの肩位置に対して背部マッサージ機構４の施療子５４が届かないので、このままでは、使用者Ｍは、肩に対するマッサージを受けることができない。
【００３１】
このような事情に対し、本発明に係る椅子型マッサージ機１では、前記したように座部２がスライド機構７によって前後動自在に保持されているので、図２に示すように、座部２を前部位置へスライドさせれば、使用者Ｍの着座位置を前方へずらしてその肩位置を下げることができるのである。
次に、本発明の椅子型マッサージ機１の使用状況を説明する。
【００３２】
座部２が後部位置に配置されている場合にあって、この座部２に着座した使用者Ｍが、背もたれ部３に背中を押しつけるようにしてもたれ掛かると、使用者Ｍの肩位置より低い高さに背部マッサージ機構４の施療子５４が当接する状態となる（図３参照）。
この状態で背部マッサージ機構４を作動させることにより、使用者Ｍは、背中から腰部にわたる範囲で施療子５４を介して揉みマッサージや叩きマッサージ、或いはバイブレーションによる快適なマッサージを受けることができる。
【００３３】
この状態から、使用者Ｍが、肘掛け部８の内面に沿って突出した引き紐３６（図１参照）を引き上げることで、規制機構２０が解除され、スライド機構７のスライド基枠１０と共に座部２が前後動自在な状態となる。そこで、使用者Ｍが臀部を前方へずらすようにすることで座部２が前方移動し、これによって背もたれ部３にもたれかかった使用者Ｍの肩位置が下がるようになる（図２参照）。
【００３４】
使用者Ｍが引き紐３６の引き上げを解除すれば、規制機構２０は第２切欠４２又は中間切欠４３のいずれかによって規制される停止位置で、スライド基枠１１を停止させ、その結果として座部２は前後動しない状態に保持される。このとき、使用者Ｍの肩位置は背部マッサージ機構４の施療子５４に当接するようになっているので、以後、使用者Ｍは、肩に対し施療子５４を介して揉みマッサージや叩きマッサージ、或いはバイブレーションによる快適なマッサージを受けることができる。
【００３５】
なお、言うまでもなく、規制機構２０において第２切欠４２による停止位置を選択するか、又は中間切欠４３による停止位置を選択するかは、使用者Ｍの体型（身長）やマッサージ位置の好みなどに応じて、使用者Ｍが任意に決めればよいものである。また、肩に対するマッサージを終えた後は、使用者Ｍが再び、引き紐３６を引き上げるようにすることで、規制機構２０が解除され、スライド機構７のスライド基枠１０がバネ１６の作用で固定基枠１１上へ引き戻されるのに伴い、座部２も後方移動して初期の状態（図３参照）に戻るようになる。
【００３６】
このように、背もたれ部３に配備する背部マッサージ機構４を、使用者Ｍの肩位置へ届くほど高い位置へ設けることができない場合でも、この背部マッサージ機構４によって使用者Ｍの肩をマッサージすることができるようになる。
今回開示された実施形態はすべての点で例示であって制限的なものではないと考えられるべきである。本発明の範囲は前記した説明ではなくて特許請求の範囲によって示され、特許請求の範囲と均等の意味及び範囲内でのすべての変更が含まれることが意図される。
【００３７】
例えば、本発明は、座椅子やソファに適用することが限定されるものではなく、その他の椅子（脚部等によって座部２が高い位置に支持されるタイプ）にも適用することができる。
【符号の説明】
【００３８】
１  椅子型マッサージ機
２  座部
３  背もたれ部
４  背部マッサージ機構
７ スライド機構
１０ スライド基枠
１１ 固定基枠
１５ ストローク制限部
２０ 規制機構
３６ 引き紐
５０ マッサージ部材
５４ 施療子
Ｍ 使用者
【図１】
2011250934.tif 000003
【図２】
2011250934.tif 000004
【図３】
2011250934.tif 000005
【図４】
2011250934.tif 000006
【図５】
2011250934.tif 000007
【図６】
2011250934.tif 000008